(57)【要約】【課題】サンプリング式の熱量計を含んだ二重管構造を簡単に実現することができる船舶のエンジンルーム構造を提供する。【解決手段】船舶のエンジンルーム構造は、エンジンルーム内に配置されるガスエンジンと、ガスエンジンへ燃料ガスを導く、遮断弁が設けられた供給配管と、遮断弁を収容するケーシングと、ケーシングとガスエンジンとの間で供給配管を包み込む外側配管と、ケーシング内に収容された、供給配管を流れる燃料ガスの一部をサンプリングして熱量を計測する熱量計と、を備える。【選択図】図１
2017082728.tif 000002
【特許請求の範囲】
【請求項１】
エンジンルーム内に配置されるガスエンジンと、
前記ガスエンジンへ燃料ガスを導く、遮断弁が設けられた供給配管と、
前記遮断弁を収容するケーシングと、
前記ケーシングと前記ガスエンジンとの間で前記供給配管を包み込む外側配管と、
前記ケーシング内に収容された、前記供給配管を流れる燃料ガスの一部をサンプリングして熱量を計測する熱量計と、
を備える、船舶のエンジンルーム構造。
【請求項２】
前記ケーシング内の空気を前記エンジンルーム外に導く換気配管と、
前記換気配管に設けられた換気ファンと、をさらに備え、
前記外側配管には、当該外側配管の内部および前記ケーシングの内部を介して前記換気配管と連通する空気取入口が設けられている、請求項１に記載の船舶のエンジンルーム構造。
【請求項３】
前記熱量計は、熱量計測後の燃料ガスを前記ケーシング内に放出する、請求項２に記載の船舶のエンジンルーム構造。
【請求項４】
前記ケーシング内で前記供給配管から分岐して前記エンジンルーム外まで延びる開放配管であって、前記ケーシング内に収容される開放弁が設けられた開放配管をさらに備え、
前記熱量計は、熱量計測後の燃料ガスを前記開放弁よりも下流側で前記開放配管に放出する、請求項１または２に記載の船舶のエンジンルーム構造。
【請求項５】
前記ガスエンジンには、複数の燃料噴射弁が設けられており、
前記供給配管は、前記複数の燃料噴射弁にそれぞれつながる複数の支流配管と、前記複数の支流配管と接続された主流配管を含み、
前記外側配管は、前記主流配管を包み込む第１配管と、各々が前記支流配管および前記燃料噴射弁を包み込む複数の第２配管を含む、請求項１〜４のいずれか一項に記載の船舶のエンジンルーム構造。
【発明の詳細な説明】
【技術分野】
【０００１】
本発明は、船舶のエンジンルーム構造に関する。
【背景技術】
【０００２】
近年では、原油資源量の問題や排ガス規制の問題などから、重油を燃料とするディーゼルエンジンに代えて、ガスエンジンを用いることが試みられている（例えば、特許文献１参照）。ガスエンジンは、船舶のエンジンルーム内に配置される。
【先行技術文献】
【特許文献】
【０００３】
【特許文献１】特開２００３−３１４３１６号公報
【発明の概要】
【発明が解決しようとする課題】
【０００４】
ガスエンジンでは、燃料ガスの熱量が変化することがあるため、燃料ガスの熱量を燃料計により計測し、燃料ガスの熱量に基づいて空燃比や点火時期を制御することが望ましい。燃料ガスの熱量は、例えばサンプリング式の熱量計により計測することができる。
【０００５】
ところで、ガスエンジンが配置される船舶のエンジンルームに関しては、ＩＧＣコードおよびＩＧＦコードに、エンジンルームをガスセーフマシナリースペース（Gas safe machinery space）とするための規定がある。この規定によると、燃料ガスが漏れたときを考慮して、燃料ガスが流れる配管や燃料ガスに接する機器を別の構造体で包み込み（いわゆる、二重管構造）、この構造体の内部を常時換気しなければならない。このため、サンプリング式の熱量計を設ける場合は、どのような構成とすべきかが問題となる（熱量計自体の二重管構造およびサンプリングする燃料ガスを熱量計へ導く配管の二重管構造）。
【０００６】
そこで、本発明は、サンプリング式の熱量計を含んだ二重管構造を簡単に実現することができる船舶のエンジンルーム構造を提供することを目的とする。
【課題を解決するための手段】
【０００７】
前記課題を解決するために、本発明の発明者らは、船舶のエンジンルーム内には、燃料ガスの遮断弁などを収容するケーシングが設けられることに着目し、このケーシング内にサンプリング式の熱量計を配置すれば、簡単に二重管構造を実現できることを見出した。本発明は、このような観点からなされたものである。
【０００８】
すなわち、本発明の船舶のエンジンルーム構造は、エンジンルーム内に配置されるガスエンジンと、前記ガスエンジンへ燃料ガスを導く、遮断弁が設けられた供給配管と、前記遮断弁を収容するケーシングと、前記ケーシングと前記ガスエンジンとの間で前記供給配管を包み込む外側配管と、前記ケーシング内に収容された、前記供給配管を流れる燃料ガスの一部をサンプリングして熱量を計測する熱量計と、を備える、ことを特徴とする。
【０００９】
上記の構成によれば、サンプリング式の熱量計が遮断弁と共にケーシング内に収容されるため、熱量計を含んだ二重管構造を簡単かつコンパクトに実現することができる。
【００１０】
上記のエンジンルーム構造は、前記ケーシング内の空気を前記エンジンルーム外に導く換気配管と、前記換気配管に設けられた換気ファンと、をさらに備え、前記外側配管には、当該外側配管の内部および前記ケーシングの内部を介して前記換気配管と連通する空気取入口が設けられていてもよい。この構成によれば、空気取入口から外側配管の内部およびケーシングの内部を通って換気配管に至る換気用の空気の流れが形成される。
【００１１】
前記熱量計は、熱量計測後の燃料ガスを前記ケーシング内に放出してもよい。この構成によれば、熱量計から放出された燃料ガスを、換気用の空気の流れを利用してエンジンルーム外に排出することができる。
【００１２】
上記のエンジンルーム構造は、前記ケーシング内で前記供給配管から分岐して前記エンジンルーム外まで延びる開放配管であって、前記ケーシング内に収容される開放弁が設けられた開放配管をさらに備え、前記熱量計は、熱量計測後の燃料ガスを前記開放弁よりも下流側で前記開放配管に放出してもよい。この構成によれば、熱量計から放出された燃料ガスを、開放配管を利用してエンジンルーム外に排出することができる。
【００１３】
例えば、前記ガスエンジンには、複数の燃料噴射弁が設けられており、前記供給配管は、前記複数の燃料噴射弁にそれぞれつながる複数の支流配管と、前記複数の支流配管と接続された主流配管を含み、前記外側配管は、前記主流配管を包み込む第１配管と、各々が前記支流配管および前記燃料噴射弁を包み込む複数の第２配管を含んでもよい。
【発明の効果】
【００１４】
本発明によれば、サンプリング式の熱量計を含んだ二重管構造を簡単に実現することができる。
【図面の簡単な説明】
【００１５】
【図１】本発明の一実施形態に係る船舶のエンジンルーム構造を示す概略構成図である。
【図２】変形例の船舶のエンジンルーム構造を示す概略構成図である。
【発明を実施するための形態】
【００１６】
図１に、本発明の一実施形態に係る船舶のエンジンルーム構造を示す。船舶のエンジンルーム１内には、ガスエンジン２が配置されている。ガスエンジン２へは、供給配管３を通じて、エンジンルーム１外から燃料ガス（例えば、天然ガス）が導かれる。
【００１７】
ガスエンジン２は、燃料ガスのみを燃焼させるガス専焼エンジンであってもよいし、燃料ガスと燃料油の一方または双方を燃焼させる二元燃料エンジンであってもよい。
【００１８】
ガスエンジン２は、クランク軸２１を含む。本実施形態では、クランク軸２１が、プロペラ１２が取り付けられた推進軸１１と図略の減速機を介して連結されている。換言すれば、ガスエンジン２は、推進軸１１を直接的に駆動する。ただし、図示は省略するが、ガスエンジン２は、発電機および電動機を介して推進軸１１を間接的に駆動してもよい。また、本実施形態では、ガスエンジン２が４ストロークエンジンである。ただし、ガスエンジン２は、２ストロークエンジンであってもよい。
【００１９】
具体的に、ガスエンジン２は、クランク軸２１の軸方向に並ぶ複数のシリンダ２２と、これらのシリンダ２２にそれぞれ取り付けられた複数のシリンダヘッド２３を含む。各シリンダヘッド２３には、シリンダ２２内の燃焼室と連通する給気路および排気路が形成されている。また、各シリンダヘッド２３には、前記給気路内に燃料ガスを噴射する燃料噴射弁２５が設けられている。ただし、燃料噴射弁２５は、ガスエンジン２におけるシリンダヘッド２３以外の部分に設けられていてもよい。
【００２０】
供給配管３は、燃料噴射弁２５にそれぞれつながる複数の支流配管３ｂと、これらの支流配管３ｂと接続された主流配管３ａを含む。主流配管３ａには、上流側から順に、第１遮断弁３１、第２遮断弁３２、圧力調整弁３３、フィルタ３４および圧力計３５が設けられている。これらの機器３１〜３５は、ガスエンジン２の近くに配置される小型のケーシング５内に収容されている。ケーシング５は、例えば圧力容器である。また、供給配管３は、ケーシング５とガスエンジン２との間で、外側配管６に包み込まれている。
【００２１】
外側配管６は、主流配管３ａを包み込む第１配管６１と、各々が供給配管３の支流配管３ｂおよび燃料噴射弁２５を包み込む複数の第２配管６２を含む。第１配管６１は、ケーシング５から供給配管３の主流配管３ａに沿って延びている。第１配管６１の先端には、空気取入口６３が設けられている。
【００２２】
ケーシング５には、第１換気配管７１が接続されている。つまり、第１換気配管７１は、ケーシング５の内部および外側配管６の内部を介して空気取入口６３と連通している。第１換気配管７１は、ケーシング５内の空気をエンジンルーム１外へ導く。第１換気配管７１には、換気ファン７２が設けられている。また、換気配管７１には、換気ファン７２をバイパスするように第２換気配管７３が接続されており、この第２換気配管７３にも換気ファン７４が設けられている。換気ファン７２，７４が稼働すると、図中に破線矢印で示すように、空気取入口６３から外側配管６の内部およびケーシング５の内部を通って第１換気配管７１に至る換気用の空気の流れが形成される。
【００２３】
ケーシング５内では、第１開放配管４１および第２開放配管４３が供給配管３から分岐している。より詳しくは、第１開放配管４１は、第１遮断弁３１と第２遮断弁３２の間で供給配管３から分岐しており、第２開放配管４３は、圧力調整弁３３とフィルタ３４の間で供給配管３から分岐している。第１開放配管４１および第２開放配管４３は、エンジンルーム１外まで延びている。第１開放配管４１および第２開放配管４３には開放弁４２，４４がそれぞれ設けられており、これらの開放弁４２，４４はケーシング５内に収容されている。
【００２４】
さらに、本実施形態では、ケーシング５内に熱量計８が収容されている。熱量計８は、供給配管３を流れる燃料ガスの一部をサンプリングして熱量を計測する。熱量計８は、サンプリング配管８１により供給配管３の主流配管３ａと接続されている。なお、サンプリング配管８１が主流配管３ａにつながれる位置は、ケーシング５内であればどの位置であってもよいが、圧力計３５よりも下流側であることが望ましい。本実施形態では、熱量計８が、熱量計測後の燃料ガスをケーシング５内に放出する。例えば、熱量計８は、光学式のものである。
【００２５】
以上説明したように、本実施形態のエンジンルーム構造では、サンプリング式の熱量計８が遮断弁３１，３３と共にケーシング５内に収容されるため、熱量計８を含んだ二重管構造を簡単かつコンパクトに実現することができる。
【００２６】
また、本実施形態では、熱量計８が熱量計測後の燃料ガスをケーシング５内に放出するので、熱量計８から放出された燃料ガスを、換気用の空気の流れを利用してエンジンルーム１外に排出することができる。
【００２７】
（変形例）
本発明は上述した実施形態に限定されるものではなく、本発明の要旨を逸脱しない範囲で種々の変形が可能である。
【００２８】
例えば、図２に示すように、熱量計８は、熱量計測後の燃料ガスを、開放弁４４よりも下流側で第２開放配管４３に放出してもよい。この構成によれば、熱量計８から放出された燃料ガスを、第１開放配管４１を利用してエンジンルーム１外に排出することができる。
【符号の説明】
【００２９】
１    エンジンルーム
２    ガスエンジン
３    供給配管
３ａ  主流配管
３ｂ  支流配管
３１，３３  遮断弁
４１，４３  開放配管
４２，４４  開放弁
６    外側配管
６１  第１配管
６２  第２配管
６３  空気取入口
７１，７３  換気配管
７２，７４  換気ファン
８    熱量計
【図１】
2017082728.tif 000003
【図２】
2017082728.tif 000004
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
エンジンルーム内に配置されるガスエンジンと、
前記ガスエンジンへ燃料ガスを導く、遮断弁が設けられた供給配管と、
前記エンジンルーム内に配置され、前記遮断弁を収容するケーシングと、
前記ケーシング内の空気を前記エンジンルーム外に導く換気配管と、
前記換気配管に設けられた換気ファンと、
前記ケーシングと前記ガスエンジンとの間で前記供給配管を包み込む外側配管であって、当該外側配管の内部および前記ケーシングの内部を介して前記換気配管と連通する空気取入口が設けられた外側配管と、
前記ケーシング内に収容された、前記供給配管を流れる燃料ガスの一部をサンプリングして熱量を計測し、熱量計測後の燃料ガスを前記ケーシング内に放出する熱量計と、
を備える、船舶のエンジンルーム構造。
【請求項２】
前記ガスエンジンには、複数の燃料噴射弁が設けられており、
前記供給配管は、前記複数の燃料噴射弁にそれぞれつながる複数の支流配管と、前記複数の支流配管と接続された主流配管を含み、
前記外側配管は、前記主流配管を包み込む第１配管と、各々が前記支流配管および前記燃料噴射弁を包み込む複数の第２配管を含む、請求項１に記載の船舶のエンジンルーム構造。